(57)【要約】【課題】孔を開けることなく様々な靴や鞄に装着することができ、汎用性に優れた靴・鞄用アクセサリーを提供する【解決手段】装飾効果を発揮する装飾部３０と、装飾部３０が取り付けられる平面を表面側に有する台座部１０と、弾性部材で構成されるリング状のバンド部２０と、台座部１０の両端をそれぞれ台座部１０の裏面側に屈曲させて形成され、バンド部２０が嵌着される上方係止部１１および下方係止部１２とを備え、上方係止部１１および下方係止部１２にバンド部２０を嵌着して台座部１０とバンド部２０との間に空隙部４０を形成し、当該空隙部４０に対象物の紐状部分または帯状部分を通して、対象物を台座部１０とバンド部２０とで挟持する。【選択図】図２
2018007918.tif 000002
【特許請求の範囲】
【請求項１】
靴や鞄の対象物に取り付けて対象物を装飾する靴・鞄用アクセサリーであって、
装飾効果を発揮する装飾部と、
装飾部が取り付けられる平面を表面側に有する台座部と、
弾性部材で構成されるリング状のバンド部と、
台座部の両端をそれぞれ台座部の裏面側に屈曲させて形成され、バンド部が嵌着されるバンド係止部とを備え、
バンド係止部にバンド部を嵌着して台座部とバンド部との間に空隙部を形成し、
当該空隙部に対象物の紐状部分または帯状部分を通して、対象物を台座部とバンド部とで挟持する
ことを特徴とする靴・鞄用アクセサリー。
【請求項２】
前記バンド係止部は、
一方のバンド係止部の端部を他方のバンド係止部の端部よりも曲率を緩やかにしている
ことを特徴とする請求項１記載の靴・鞄用アクセサリー。
【請求項３】
前記装飾部は、前記台座部に着脱自在に取り付けられている
ことを特徴とする請求項１または２記載の靴・鞄用アクセサリー。
【発明の詳細な説明】
【技術分野】
【０００１】
本発明は、靴や鞄に取り付けられる装飾物に関する。
【背景技術】
【０００２】
靴や鞄にアクセサリーをつけて装飾したいという欲求は従来から存在する。このような欲求に応えるべく、靴やその他の装着用の物品にアクセサリーを固定するためのシステムとして、靴に拡張可能な穴を多数設けて、この穴に好みのアクセサリーを取り付けてカスタマイズできるようにしたものが提案され（例えば、特許文献１参照。）、人気を博している。
【０００３】
このほか、靴に小孔をあけ、磁石吸着ハトメを設け、装飾品の下部に磁石を設けた装飾具をハトメに挿着することにして、装飾具を取り外し、取替えを可能にすることも提案されている（特許文献２参照。）。
【先行技術文献】
【特許文献】
【０００４】
【特許文献１】特表２００９−５００１２５号公報
【特許文献２】特開２０１１−１２５６４７号公報
【発明の概要】
【発明が解決しようとする課題】
【０００５】
しかしながら、上記特許文献１のシステムでは、予め穴が形成された靴に制約され、穴のないその他の靴には適用できず、汎用性がないという問題がある。
【０００６】
また、上記特許文献２の場合、靴に孔を開けなければならず、アクセサリーを取り外して装着しない場合には孔が開いたままになってしまうという問題がある。
【０００７】
そこで、本発明は、このような問題に鑑みなされたものであり、孔を開けることなく様々な靴や鞄に装着することができ、汎用性に優れた靴・鞄用アクセサリーを提供することを目的とする。
【課題を解決するための手段】
【０００８】
上記課題を解決するために、本発明に係る靴・鞄用アクセサリーは、靴や鞄の対象物に取り付けて対象物を装飾する靴・鞄用アクセサリーであって、装飾効果を発揮する装飾部と、装飾部が取り付けられる平面を表面側に有する台座部と、弾性部材で構成されるリング状のバンド部と、台座部の両端をそれぞれ台座部の裏面側に屈曲させて形成され、バンド部が嵌着されるバンド係止部とを備え、バンド係止部にバンド部を嵌着して台座部とバンド部との間に空隙部を形成し、当該空隙部に対象物の紐状部分または帯状部分を通して、対象物を台座部とバンド部とで挟持することを特徴とする。
【０００９】
これによれば、台座部とバンド部との挟持によってアクセサリーが対象物に保持され、アクセサリーを対象物から取り外す際は、バンド係止部へのバンド部の嵌着を解除するだけでよいので、靴や鞄に孔を穿設することなく装着することができ、紐状部分や帯状部分を有する靴や鞄であれば装着することができるので、汎用性に優れた靴・鞄用アクセサリーが実現される。
【００１０】
ここで、前記バンド係止部は、一方のバンド係止部の端部を他方のバンド係止部の端部よりも曲率を緩やかにしているのが好ましい。
【００１１】
これによれば、バンド部が嵌着されるバンド係止部の入り口が開くので、容易にバンド部を嵌着させることができるようになる。
【００１２】
また、前記装飾部は、前記台座部に着脱自在に取り付けられているとしてもよい。
【００１３】
これによれば、装飾部を取り換えるだけで様々なバリエーションの装飾を楽しむことが可能となる。
【発明の効果】
【００１４】
以上のように、本発明に係る靴・鞄用アクセサリーによれば、台座部とバンド部との間に形成される空隙部に靴や鞄の薄状部分を通して、台座部とバンド部との挟持によりアクセサリーを保持し、アクセサリーを取り外す際はバンド係止部におけるバンド部の嵌着を解除すれば足りるので、紐状部分や帯状部分を有する靴や鞄であれば孔を開けずに装着することができるので、汎用性に優れた靴・鞄用アクセサリーが実現可能となる。
【図面の簡単な説明】
【００１５】
【図１】アクセサリーの斜視図である。
【図２】アクセサリーの側面図である。
【図３】係止部を解除した状態を示す斜視図である。
【図４】アクセサリーを靴に装着した状態を示す図である。
【発明を実施するための形態】
【００１６】
以下、本発明の実施形態について図面を参照しながら説明する。
【００１７】
図１は、アクセサリーの斜視図であり、図２は側面図である。
【００１８】
アクセサリー１は、靴や鞄に取り付けられて、靴や鞄を装飾する装飾品であり、台座部１０と、上方係止部１１および下方係止部１２と、バンド部２０と、装飾部３０とを備える。
【００１９】
台座部１０は、装飾部３０を支持するための平面を有する部材であり、金属またはプラスチック等で構成されている。なお、アクセサリー１は動きや外部からの衝撃の影響を受けやすい靴や鞄に装着されるため、耐久性や脱落防止の観点から金属製とするのが好ましい。この台座部１０の表面側に装飾部３０が取り付けられ、裏面側にはバンド部２０との間に空隙部４０が形成されるようになっている。また、台座部１０の一方の端に上方係止部１１が形成され、他方の端に下方係止部１２が形成されている。
【００２０】
上方係止部１１は、下方係止部１２とともにバンド部２０を嵌着させて係止させる部分であり、台座部１０の一方の端（ここでは上端）を屈曲させることにより形成されている。
【００２１】
下方係止部１２は、上方係止部１１とともにバンド部２０を嵌着させて係止させる部分であり、台座部１０の一方の端（ここでは下端）を屈曲させることにより形成されている。
【００２２】
上方係止部１１と下方係止部１２は、台座部１０の両端部をそれぞれ台座部１０の裏面側に対向させて折り返し、折り返した後に反対側へ曲げてバンド部２０が嵌着される嵌着部を形成することにより構成されている。バンド部２０を嵌着させる嵌着部までは上方係止部１１と下方係止部１２は対称となるよう同じ曲率で屈曲されている。上方係止部１１および下方係止部１２は、それぞれ端部が台座部１０側へ向かうように曲げられており、上方係止部１１の端部は、下方係止部１２の端部よりも曲率を緩やかにして嵌着部の入り口を開き、バンド部２０の嵌着を容易にしている。なお、一方の端部の曲率を異ならせていればよく、下方係止部１２の方の曲率を緩やかにしてもよい。
【００２３】
バンド部２０は、ゴムや合成樹脂などの弾性材で構成されているリング状の留め具である。このバンド部２０は、上方係止部１１および下方係止部１２に嵌着されることにより固定され、台座部１０の裏面側との間に空隙部４０を形成する。この空隙部４０に靴紐や靴、鞄の帯状部分などの薄状部分を通すことで、台座部１０とバンド部２０とでこれを挟持し、アクセサリー１を靴や鞄等の装飾対象物に取付可能としている。
【００２４】
図３は、上方係止部１１の嵌着を解除した状態を示す図である。この状態で台座部１０の裏面側に靴紐等を通した後、バンド部２０を上方係止部１１に嵌着させることで、アクセサリー１は靴や鞄等に取り付けられる。
【００２５】
装飾部３０は、装飾のための形状や図柄で構成される装飾効果を発揮する部分である。ここでは、ハート形の装飾部３０を示しているが、装飾部３０は様々な形状に変更が可能であることはいうまでもない。また、装飾部３０は台座部１０に一体的に固定されるとしてもよいし、ボタン等で着脱自在にして取り付けられるとしてもよい。ここでは、台座部１０に一体的に装飾部３０を固定した例を示しているが、アクセサリー１の耐久性や装飾部３０の脱落防止という点で有利である。一方、ボタン等で着脱自在とした場合は、装飾部３０を取り換えるだけで様々なバリエーションの装飾を楽しむことができるという点で有利といえる。
【００２６】
図４は、アクセサリーを靴に装着した状態を示す図である。
【００２７】
上記のように構成されたアクセサリー１は、例えば、靴２の靴紐３に取り付けることで靴２を装飾することができる。このとき、台座部１０の裏面側とバンド部２０とによって形成される空隙部４０に靴紐３が通されると、台座部１０とバンド部２０とによって靴紐３が挟持されることでアクセサリー１は靴２に保持された状態となる。アクセサリー１を靴２から取り外す際は、バンド部２０を上方係止部１１の嵌着部から外して嵌着を解除するだけでよい。このように、アクセサリー１は、靴２に孔を穿設することなく装着することができ、また、靴紐３や靴、鞄の帯状部分を有する靴や鞄であれば装着することができるので、汎用性に優れているといえる。
【００２８】
以上、本発明に係る靴・鞄用アクセサリーについて、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００２９】
例えば、上記実施の形態では、台座部に装飾部を取り付ける例を示したが、台座部にさらに台座となる部材を固定し、その部材に装飾部を取り付ける二段構成の台座部としてもよい。これにより、台座部の上に重ねる台座となる部材を大きくすることができ、台座部に直接取り付けるよりも大きな装飾部を取り付けることも可能となるので、汎用性をさらに高めることができる。
【産業上の利用可能性】
【００３０】
本発明は、靴や鞄に装着して使用するアクセサリー等として有用である。
【符号の説明】
【００３１】
１    アクセサリー
２    靴
３    靴紐
１０  台座部
１１  上方係止部
１２  下方係止部
２０  バンド部
３０  装飾部
４０  空隙部
【図１】
2018007918.tif 000003
【図２】
2018007918.tif 000004
【図３】
2018007918.tif 000005
【図４】
2018007918.tif 000006